(57)【要約】本発明は、胴、ローラ又はドラムの互いに反対側に位置しているジャーナルを支承するための軸受装置であって、胴、ローラ又はドラムをその回転軸線に対して垂直に移動させることができる操作手段が設けられており、ジャーナルが両側において回転軸受を介してフレーム壁によって接近・離反移動可能に受容されている形式のものに関する。このような形式の軸受装置において本発明では、同心的に形成された回転軸受（６）が軸受ハウジング（１）によって受容されていて、該軸受ハウジング（１）が接続構造体（２）に、リニア軸受ユニット（７）を介して接続構造体（２）に対して長手方向移動可能に配置されていて、さらに接続構造体（２）がフレーム壁（１０）と結合されている。
2005503522.tif 000002
【特許請求の範囲】
【請求項１】
胴（３）、ローラ又はドラムの互いに反対側に位置しているジャーナル（４）を支承するための軸受装置であって、胴（３）、ローラ又はドラムをその回転軸線（５）に対して垂直に移動させることができる操作手段が設けられており、ジャーナル（４）が両側において回転軸受を介してフレーム壁（１０）によって接近・離反移動可能に受容されている形式のものにおいて、同心的に形成された回転軸受（６）が軸受ハウジング（１）によって受容されていて、該軸受ハウジング（１）が接続構造体（２）に、リニア軸受ユニット（７）を介して接続構造体（２）に対して長手方向移動可能に配置されていて、さらに接続構造体（２）がフレーム壁（１０）と結合されていることを特徴とする、胴、ローラ又はドラムを支承するための軸受装置。
【請求項２】
リニア軸受ユニット（７）が、２つの転動面（２.１.１）を備えていて横断面で見てＶ字形をした、接続構造体（２）の突出部（２.１）と、該突出部（２.１）の転動面（２.１.１）に対して平行な転動面（１.１.１）を備えていて相応に形成されたＶ字形をした、軸受ハウジング（１）の切欠き（１.１）とから形成されており、両方の転動面（２.１.１，１.１.１）の間において、Ｌ字形に曲げられた扁平ケージ（７.２）内に配置された転動体（７.１）が転動するようになっており、突出部（２.１）と切欠き（１.１）とが接続構造体（２）及び軸受ハウジング（１）の上端部及び下端部に、向かい合って位置するように配置されている、請求項１記載の軸受装置。
【請求項３】
リニア軸受ユニット（７）が、３つの転動面を備えた接続構造体（２）の横断面で見て方形の突出部と、前記転動面に対して平行な転動面を備えた軸受ハウジング（１）の相応に形成された切欠きとから形成されており、両転動面の間において扁平ケージ内に配置された転動体が転動し、突出部と切欠きとが、接続構造体（２）及び軸受ハウジング（１）の上端部及び下端部に互いに向かい合って位置するように配置されている、請求項１記載の軸受装置。
【請求項４】
ジャーナル（４）が接続構造体（２）を貫いて案内されていて、リニア運動を制限するために接続構造体（２）が長孔（２.２）を備えている、請求項１記載の軸受装置。
【請求項５】
回転軸受（６）が、浮動軸受又は固定軸受として形成されている、請求項１記載の軸受装置。
【請求項６】
回転軸受（６）が、玉軸受、ころ軸受、自動調心ころ軸受又は円錐ころ軸受として形成されている、請求項１記載の軸受装置。
【請求項７】
軸受ハウジング（１）が、該軸受ハウジングを移動させるための装置（８）を備えている、請求項１記載の軸受装置。
【請求項８】
ジャーナル（４）が、印刷機に配置された圧胴の一部であり、該圧胴が、印刷機に設けられた少なくとも１つの別の胴と共働する、請求項１記載の軸受装置。
【発明の詳細な説明】
【技術分野】
【０００１】
発明の使用分野
本発明は、胴、ローラ又はドラムの互いに反対側に位置しているジャーナルを支承するための軸受装置であって、胴、ローラ又はドラムをその回転軸線に対して垂直に移動させることができる操作手段が設けられており、ジャーナルが両側において回転軸受を介してフレーム壁によって接近・離反移動可能に受容されている形式のものに関する。
【０００２】
発明の背景
印刷機の胴又はドラム用のこのような軸受装置は、しばしば偏心軸受として形成されている。３レースころがり軸受（Dreiringwaelzlager）として形成されたこのような軸受は、ドイツ連邦共和国特許公開第４１２６５４５号明細書に開示されている。この明細書に記載された３レースころがり軸受は、ゴムブランケット胴のジャーナルと結合された内側軸受の内レースから成っており、この内レースは、ジャーナルに対して同心的な外側の転動路を備えている。３レースころがり軸受はさらに軸受ハウジング内に、外側軸受の外レースを有しており、この外レースは、軸受ハウジングの孔に対して同心的な内側の転動路を備えている。内レースと外レースとの間には、内側軸受及び外側軸受のための転動路を保持している一体的で偏心的な中間レースが設けられており、この中間レースは、軸受ハウジングの外側に位置している操作手段によって周方向において旋回可能である。
【０００３】
半径方向における支持のために、ジャーナルと結合された内レースと偏心的な中間レースとの間及び外レースと偏心的な中間レースとの間には、円筒ころ軸受列の形のラジアル軸受列が設けられており、円筒ころ軸受列のそばには、少なくとも１つの軸方向端部に、例えば玉軸受列であるスラスト軸受列が、もしくは交差ころスラスト軸受が内側軸受に、もしくは玉軸受列が外側軸受に、軸方向における力を別個に受け止めるために配置されている。
【０００４】
このような偏心軸受は印刷業界において、複数の印刷胴が互いに並んでその周面を接触するように配置されている場合には、常に使用される。個々の軸受の偏心率が調節可能であることによって、胴を相互に胴入れ・胴抜きすることができ、この場合胴の間においては、可能な限り直線的な結合線が望まれる。印刷動作が始動又は終了される場合には、個々の胴の調節運動を回転軸線に対して垂直な方向で行うことが必要である。
【０００５】
このような偏心軸受における欠点としては、このような偏心軸受は、特に大きな調節運動の場合に、半径方向における大きな構造空間を必要とするということが挙げられる。この問題は、直径が小さな胴を使用する場合に、さらに激化する。そして極端な場合には、偏心原理を胴の調節運動のために使用することがもはや不可能になってしまう。それというのはこのような場合には、軸受を調節される胴よりも大きくしなくてはならないが、このようなことは実質的に不可能だからである。
【０００６】
さらに別の欠点としては、偏心軸受は常に湾曲軌道に沿った調節運動しか実施できない、ということが挙げられる。このような場合調節運動は、複数の胴が互いに並んで配置されているような場合に、困難になる。この問題を解決するために、各胴のジャーナル対を偏心的に支承することが試みられた。しかしながらこのような偏心軸受では、全軸受装置の個々の構成部材の偏心支承形式が何倍にもなるので、複雑かつ面倒であり、ひいては高価になることは、明らかである。
【０００７】
発明の開示
ゆえに本発明の課題は、上に述べた従来技術における欠点を回避すべく、胴、ローラ又はドラムを支承するための軸受装置を改良して、胴、ローラ又はドラムの調節運動を回転軸線に対して垂直な方向で簡単にできるようにすることである。
【０００８】
この課題は、請求項１の特徴部に記載の構成によって解決される。すなわち本発明の構成では、同心的に形成された回転軸受が軸受ハウジングによって受容されていて、該軸受ハウジングが接続構造体に、リニア軸受ユニットを介して接続構造体に対して長手方向移動可能に配置されていて、さらに接続構造体がフレーム壁と結合されているようにした。
【０００９】
本発明のように、胴、ローラ又はドラムのジャーナル支承のために回転軸受とリニア軸受とを組み合わせることによって、胴、ローラ又はドラムの調節運動をその回転軸線に対して垂直な方向において行うことが簡単に可能になる。従って大きな構造空間を必要とする、偏心的に形成された回転軸受の使用を、省くことができる。このことは特に、直径が小さな胴、ローラ又はドラムを使用する場合に、有利である。
【００１０】
本発明の別の有利な構成は、請求項２〜８に記載されている。
【００１１】
請求項２記載の構成では、リニア軸受ユニットが、２つの転動面を備えていて横断面で見てＶ字形をした、接続構造体の突出部と、該突出部の転動面に対して平行な転動面を備えていて相応に形成されたＶ字形をした、軸受ハウジングの切欠きとから形成されており、両方の転動面の間において、Ｌ字形に曲げられた扁平ケージ内に配置された転動体が転動するようになっており、突出部と切欠きとが接続構造体及び軸受ハウジングの上端部及び下端部に、向かい合って位置するように配置されている。
【００１２】
請求項３記載の別の構成では、リニア軸受ユニットが、３つの転動面を備えた接続構造体の横断面で見て方形の突出部と、前記転動面に対して平行な転動面を備えた軸受ハウジングの相応に形成された切欠きとから形成されており、両転動面の間において扁平ケージ内に配置された転動体が転動し、突出部と切欠きとが、接続構造体及び軸受ハウジングの上端部及び下端部に互いに向かい合って位置するように配置されている。
【００１３】
請求項４記載の別の構成では、ジャーナルが接続構造体を貫いて案内されていて、リニア運動を制限するために接続構造体が長孔を備えている。
【００１４】
請求項５記載のさらに別の構成では、回転軸受が、浮動軸受又は固定軸受として形成されており、さらに請求項６記載の構成では、回転軸受が、玉軸受、ころ軸受、自動調心ころ軸受又は円錐ころ軸受として形成されている。
【００１５】
また請求項７記載の構成では、軸受ハウジングが、該軸受ハウジングを移動させるための装置を備えている。
【００１６】
さらにまた請求項８記載の構成では、ジャーナルが、印刷機に配置された圧胴の一部であり、該圧胴が、印刷機に設けられた少なくとも１つの別の胴と共働する。
【００１７】
次に図示の実施例を参照しながら本発明を詳説する。
【００１８】
図面の簡単な説明
図１は、本発明による軸受装置をフレーム壁なしで示す側面図であり、
図２は、図１のＩＩ−ＩＩ線に沿ってフレーム壁と共に示す縦断面図であり、
図３は、本発明による軸受装置をフレーム壁なしで一方の側から見た斜視図であり、
図４は、本発明による軸受装置をフレーム壁なしで他方の側から見た斜視図である。
【００１９】
実施例の記載
図１〜図４に示されているように、段付けされた軸頚つまりジャーナル４を備えた胴３は両側で、互いに間隔おいて位置する２つの軸受ハウジング１において、各１つの回転軸受６を介して保持されており、その結果胴３はその軸線５を中心にして回転可能であり、軸受ハウジング１はフレーム壁１０と結合されている。回転軸受６は、二列の円筒ころ軸受として形成されており、この軸受の一部である内レース６.１は、各１つのケージ６.３内において案内されている円筒ころ６.２のための内側の転動路を形成している。外側の転動路は軸受ハウジング１自体によって形成される。軸受６は外方に向かってシール部材６.４によって保護されている。
【００２０】
軸受ハウジング１は互いに向かい合って位置している上側及び下側の端部に、各１つのＶ字形の切欠き１.１を備えており、これによって互いに対して斜めに延びるプリズム状の２つの転動面１.１.１が形成されている。転動面１.１.１相互の角度を変化させることによって、傾倒剛性（Kippsteifigkeit）と半径方向剛性（Radialsteifigkeit）との比を使用に応じて最適化することができる。互いに向かい合って位置している転動面１.１.１つまり上側及び下側の転動面１.１.１は、通常、同じ半径方向平面に位置している。しかしながらまた、上側の転動面１.１.１と下側の転動面１.１.１とを軸方向において互いにずらすことも可能である。このようにすると、運動方向に応じて異なった傾倒剛性が得られる。
【００２１】
軸受装置の一部としてさらに接続構造体２が設けられており、この接続構造体２はその互いに反対側に位置している端部にそれぞれＶ字形の突出部２.１を有しており、この突出部２はＶ字形の切欠き１.１と対応している。Ｖ字形の突出部２もまた同様に、互いに対して傾けられて延びるプリズム状の２つの転動面２.１.１を形成しており、その結果胴３は接続構造体２において軸受ハウジング１と共に、リニア軸受ユニット７を介して回転軸線５に対して垂直な方向で走行可能である。フレーム壁１０に接続構造体２を固定するために、接続構造体２には複数の孔１１が設けられている。
【００２２】
リニア軸受ユニット７は２つの転動体列７.１から成っており、これらの転動体列７.１はＬ字形に折り曲げられたケージ７.２内において案内されている。転動体列７.１は、軸受ハウジング１及び接続構造体２の転動路１.１.１，２.１.１上を転動する。リニア軸受ユニット７の一部としてはさらに歯車７.３が設けられており、この歯車７.３は、軸受ハウジング１及び接続構造体２のラックに係合しており、これによってケージ７.２は強制案内される。図面からさらに分かるように、回転軸受６は胴３のジャーナル４のための受容孔６.５を有しており、この受容孔６.５は、接続構造体２の長孔２.２よりも小さな直径を有している。受容孔６.５と長孔２.２とが異なった構成を有していることによって、左右に配置された両軸受ハウジング１の、接続構造体２における移動距離を確実に制限することができる。すなわち胴３は、そのジャーナル４が右側又は左側において長孔２に当接するまで移動することができる。
【００２３】
図３及び図４には、胴を支承するための完全な軸受装置が示されており、この場合軸受装置は図３では回転軸受６の側から示され、図４では接続構造体２の側から示されている。接続構造体２における胴３の所望の移動運動を可能にするために、互いに間隔をおいて位置する２つの軸受ハウジング１には、各１つの装置８が移動のために設けられており、この装置８は固定ねじ９を介して軸受ハウジング１と結合されている。この装置は例えば、空気力式、電気式又は液圧式に運動させられる引張りロッド又は押圧ロッドとして形成可能である。
【図面の簡単な説明】
【００２４】
【図１】本発明による軸受装置をフレーム壁なしで示す側面図である。
【図２】図１のＩＩ−ＩＩ線に沿ってフレーム壁と共に示す縦断面図である。
【図３】本発明による軸受装置をフレーム壁なしで一方の側から見た斜視図である。
【図４】本発明による軸受装置をフレーム壁なしで他方の側から見た斜視図である。
【符号の説明】
【００２５】
１  軸受ハウジング、  １.１  切欠き、  １.１.１  転動面、  ２  接続構造体、  ２.１  突出部、  ２.１.１  転動面、  ２.２  長孔、  ３  胴、  ４  ジャーナル、  ５  軸線、  ６  回転軸受、  ６.１  内レース、  ６.２  円筒ころ、  ６.３  ケージ、  ６.４  シール部材、  ６.５  受容孔、  ７  リニア軸受ユニット、  ７.１  転動体列、  ７.２  ケージ、  ７.３  歯車、  ８  装置、  ９  固定ねじ、  １０  フレーム壁、  １１  孔
【国際公開パンフレット】
2005503522.tif 000003
2005503522.tif 000004
2005503522.tif 000005
2005503522.tif 000006
2005503522.tif 000007
2005503522.tif 000008
2005503522.tif 000009
2005503522.tif 000010
2005503522.tif 000011
2005503522.tif 000012
2005503522.tif 000013
2005503522.tif 000014
2005503522.tif 000015
2005503522.tif 000016
【国際調査報告】
2005503522.tif 000017
2005503522.tif 000018
2005503522.tif 000019
2005503522.tif 000020
2005503522.tif 000021
2005503522.tif 000022